【手続補正書】
【提出日】令和2年4月8日(2020.4.8)
【手続補正１】
【補正対象書類名】特許請求の範囲
【補正対象項目名】全文
【補正方法】変更
【補正の内容】
【特許請求の範囲】
【請求項１】
無線通信機能を備えた通信端末のコンピュータに、
受信した電波の強度を取得する取得工程と、
前記電波を発信した機器と前記通信端末とが所定の近接状態であるかどうかを判定するために、前記取得工程で取得した前記電波の強度と比較される閾値であって、複数の機器に共通に設定された第１の閾値と、各機器に対応付けて設定された第２の閾値とをメモリに保存する保存工程と、
前記取得工程で取得した前記電波の強度と前記メモリに保存された前記第１或いは前記第２の閾値とを比較し、前記電波を発信した機器と前記通信端末とが近接しているかどうかを判定する判定工程と、
更新の指示に応じて、前記メモリに保存された前記第１或いは前記第２の閾値を更新する更新工程と、
を実行させるためのプログラム。
【請求項２】
前記更新の指示をユーザが入力するための画面を表示する表示工程を更に備え、前記画面には、前記通信端末を印刷装置に所定の距離に近づけるようにユーザに促すメッセージが表示されることを特徴とする請求項１に記載のプログラム。
【請求項３】
前記更新工程は、前記通信端末が前記画面を介して前記更新の指示を受け付けたことに従って、前記取得工程で取得した前記機器からの電波の強度に基づいて、前記メモリに保存された前記第１或いは前記第２の閾値を更新することを特徴とする請求項２に記載のプログラム。
【請求項４】
前記更新工程は、前記メモリに保存された前記第１の閾値が初期値の場合、前記取得工程が取得した前記機器からの電波の強度に基づいて、前記第１の閾値及び前記機器に対応する前記第２の閾値を更新することを特徴とする請求項２又は３に記載のプログラム。
【請求項５】
前記更新工程は、前記メモリに保存された前記第１の閾値が初期値の場合、前記初期値と、前記取得工程が取得した前記機器からの電波の強度との平均値を求め、前記平均値で前記第１の閾値及び前記機器に対応する前記第２の閾値を更新することを特徴とする請求項４に記載のプログラム。
【請求項６】
前記電波は、当該電波を発信した機器の識別情報を含み、
前記更新工程は、前記取得工程が取得した前記機器からの電波の強度に基づいて、前記機器に対応する前記第２の閾値を更新することを特徴とする請求項２に記載のプログラム。
【請求項７】
前記判定工程は、前記電波を発信した機器に対応する前記第２の閾値が保存されていない場合、前記取得工程が取得した前記電波の強度と前記メモリに保存された前記第１の閾値とを比較し、前記電波を発信した機器と前記通信端末とが近接しているかどうかを判定することを特徴とする請求項６に記載のプログラム。
【請求項８】
前記判定工程は、前記電波を発信した機器に対応する前記第２の閾値が保存されている場合、前記取得工程で取得した前記電波の強度と前記メモリに保存された、前記機器に対応する前記第２の閾値とを比較し、前記電波を発信した機器と前記通信端末とが近接しているかどうかどうかを判定することを特徴とする請求項５に記載のプログラム。
【請求項９】
前記判定工程が、前記電波を発信した機器との間の距離が前記所定の距離以内になったと判定できない状態が一定時間継続すると、前記メモリに保存された閾値を更新するように促す表示を行う第２の表示工程を、更に有することを特徴とする請求項１乃至８のいずれか１項に記載のプログラム。
【請求項１０】
前記更新工程は、前記取得工程が取得した前記機器からの複数の電波の強度の平均値に基づいて、前記メモリに保存された前記第１或いは前記第２の閾値を更新することを特徴とする請求項２乃至８のいずれか１項に記載のプログラム。
【請求項１１】
前記判定工程で前記電波を発信した機器と前記通信端末とが近接していると判定された機器にログインするログイン工程を、更に有することを特徴とする請求項１乃至８のいずれか１項に記載のプログラム。
【請求項１２】
前記取得される電波の強度は、Bluetooth Low Energyのアドバタイジングパケットを搬送する電波の強度であることを特徴とする請求項１乃至１１のいずれか１項に記載のプログラム。
【請求項１３】
前記Bluetooth Low Energyのアドバタイジングパケットを搬送する電波を発信する機器は、印刷装置であることを特徴とする請求項１２に記載のプログラム。
【請求項１４】
無線通信機能を備えた通信端末を制御する制御方法であって、
受信した電波の強度を取得する取得工程と、
前記電波を発信した機器と前記通信端末とが所定の近接状態であるかどうかを判定するために、前記取得工程で取得した前記電波の強度と比較される閾値であって、複数の機器に共通に設定された第１の閾値と、各機器に対応付けて設定された第２の閾値とをメモリに保存する保存工程と、
前記取得工程で取得した前記電波の強度と、前記メモリに保存された前記第１或いは前記第２の閾値とを比較し、前記電波を発信した機器と前記通信端末とが近接しているかどうかを判定する判定工程と、
更新の指示に応じて、前記メモリに保存された前記第１或いは前記第２の閾値を更新する更新工程と、
を有することを特徴とする制御方法。
【請求項１５】
無線通信機能を備えた通信端末であって、
受信した電波の強度を取得する取得手段と、
前記電波を発信した機器と前記通信端末とが所定の近接状態であるかどうかを判定するために、前記取得手段により取得した前記電波の強度と比較される閾値であって、複数の機器に共通に設定された第１の閾値と、各機器に対応付けて設定された第２の閾値とを保存する保存手段と、
前記取得手段により取得した前記電波の強度と前記保存手段に保存された前記第１或いは前記第２の閾値とを比較し、前記電波を発信した機器と前記通信端末とが近接しているかどうかを判定する判定手段と、
更新の指示に応じて、前記保存手段に保存された前記第１或いは前記第２の閾値を更新する更新手段と、
を有することを特徴とする通信端末。
【手続補正２】
【補正対象書類名】明細書
【補正対象項目名】発明の名称
【補正方法】変更
【補正の内容】
【発明の名称】通信端末とその制御方法、及びプログラム
【手続補正３】
【補正対象書類名】明細書
【補正対象項目名】０００１
【補正方法】変更
【補正の内容】
【０００１】
本発明は、通信端末とその制御方法、及びプログラムに関する。
【手続補正４】
【補正対象書類名】明細書
【補正対象項目名】０００８
【補正方法】変更
【補正の内容】
【０００８】
本発明は、通信帯端末と電波を発信した機器との近接判定において、通信端末のユーザの利便性を高めることができる技術を提供することを目的の１つとする。
【手続補正５】
【補正対象書類名】明細書
【補正対象項目名】０００９
【補正方法】変更
【補正の内容】
【０００９】
上記目的を達成するために本発明の一態様に係るプログラムは以下のような構成を備える。即ち、
無線通信機能を備えた通信端末のコンピュータに、
受信した電波の強度を取得する取得工程と、
前記電波を発信した機器と前記通信端末とが所定の近接状態であるかどうかを判定するために、前記取得工程で取得した前記電波の強度と比較される閾値であって、複数の機器に共通に設定された第１の閾値と、各機器に対応付けて設定された第２の閾値とをメモリに保存する保存工程と、
前記取得工程で取得した前記電波の強度と前記メモリに保存された前記第１或いは前記第２の閾値とを比較し、前記電波を発信した機器と前記通信端末とが近接しているかどうかを判定する判定工程と、
更新の指示に応じて、前記メモリに保存された前記第１或いは前記第２の閾値を更新する更新工程と、を実行させるためのプログラム。
【手続補正６】
【補正対象書類名】明細書
【補正対象項目名】００１０
【補正方法】変更
【補正の内容】
【００１０】
本発明によれば、通信端末と電波を発信した機器との近接判定において、通信端末のユーザの利便性を高めることができるという効果がある。